(57)【要約】      （修正有）【課題】【課題】製作コストを嵩ませることなく、高温処理された合成樹脂の溶融物を収納して搬送できる合成樹脂溶融物の収納容器を提供する。【解決手段】パラフィン蝋をコーティングしたグラシン紙１１が一側面に貼られると共に型成型により形成された折り線部１２が設けられた平板状の紙製基材１３を、上記グラシン紙を内側面側にして、上記折り線部に沿って折り畳んで底面部１４及び上記底面部から立設された側面部１５を形成して合成樹脂溶融物の収納容器１０を形成する。【選択図】図１
0003167336.tif 000002
【実用新案登録請求の範囲】
【請求項１】
パラフィン蝋をコーティングしたグラシン紙が一側面に貼られると共に型成型により形成された折り線部が設けられた平板状の紙製基材を、上記グラシン紙を内側面側にして、上記折り線部に沿って折り畳んで底面部及び上記底面部から立設された側面部を形成することを特徴とする合成樹脂溶融物の収納容器。
【請求項２】
上記紙製基材は正方形状であって互いに対向する一対の片部には、折り畳んだ側面部を固定する固定片部が形成され、立方体に形成されることを特徴とする請求項１記載の合成樹脂溶融物の収納容器。
【請求項３】
上記紙製基材は長方形状であって直方体に形成されることを特徴とする請求項１記載の合成樹脂溶融物の収納容器。
【請求項４】
上記紙製基材はボール紙であることを特徴とする請求項１記載の合成樹脂溶融物の収納容器。
【請求項５】
パラフィン蝋をコーティングしたグラシン紙が一側面に貼設されると共に型成型により形成された互いに直交する２本の折り線部を有する紙製基材を、上記折り線部に沿って折り、上記直交する２本の折り線部により包囲画成される中央部位により底面部を形成し、上記底面部を介して互いに対向する隣接部位を上記中央部の各片部において立ち上げて上記中央部を包囲する側面部を形成し、上記底面部の各辺部に隣接しない四隅部を対角線方向に沿って折曲し、形成された側面部の外方から側面部に固定することにより形成されることを特徴とする合成樹脂溶融物の収納容器。
【考案の詳細な説明】
【技術分野】
【０００１】
本考案は、合成樹脂溶融物の収納容器に関する。
【背景技術】
【０００２】
一般に、例えば、自動車の車室内に使用される内装材を接着固定するための合成樹脂製の接着剤は２００℃程度の高温で処理されることにより溶融物となる。
【０００３】
このような合成樹脂製の溶融物は、従来、グラシン紙を用いてラッピングして搬送していたが、グラシン紙は一般に剛性が低く、グラシン紙を折り畳んで収納体を形成した場合には、折り目等に、容易にピンホールが形成される場合が多い。
【０００４】
従って、グラシン紙を折り畳んで合成樹脂製の接着剤の収納体を形成した場合であっても、ピンホールが形成された場合には、熔融状態の合成樹脂を収納することはできない。
【０００５】
一方、より剛性の高い素材を用いて収納体を形成することも考えられるが、製作コストが嵩むことから、従来より、このような合成樹脂溶融物を製作コストを低減して収納して搬送することができる収納容器が要請されていた
【考案の開示】
【考案が解決しようとする課題】
【０００６】
従って、本願考案はこのような従来の要請に応えるものであって、その課題は、製作コストを嵩ませることなく、高温処理された合成樹脂の溶融物を収納して搬送できる合成樹脂溶融物の収納容器及を提供することにある。
【課題を解決するための手段】
【０００７】
上記課題解決のため請求項１記載の考案にあっては、パラフィン蝋をコーティングしたグラシン紙が一側面に貼られると共に型成型により形成された折り線部が設けられた平板状の紙製基材を、上記グラシン紙を内側面側にして、上記折り線部に沿って折り畳んで底面部及び上記底面部から立設された側面部を形成して合成樹脂溶融物の収納容器を形成することを特徴とする。
【０００８】
従って、請求項１記載の考案にあっては、内側面部にはパラフィン蝋をコーティングしたグラシン紙が貼設された紙製基材を用いて、内部に合成樹脂製溶融物を収納することができる収納容器を作成することができる。
【０００９】
請求項２記載の考案にあっては、上記紙製基材は正方形状であって互いに対向する一対の片部には、折り畳んだ側面部を固定する固定片部が形成され、立方体に形成されることを特徴とする。
【００１０】
従って、請求項２記載の考案にあっては、正方形状の紙製基材を折り畳んだ後、上記一対の固定片部により折り畳んで形成された側面部を固定することができる。
【００１１】
請求項３記載の考案にあっては、上記紙製基材は長方形状であって直方体に形成されることを特徴とする。
従って、請求項３記載の考案にあっては、直方体の収納容器を形成することができる。
【００１２】
請求項４記載の考案にあっては、上記紙製基材はボール紙であることを特徴とする。従って、請求項４記載の考案にあっては、ボール紙にグラシン紙が貼設された合成樹脂溶融物の収納容器を形成することができる。
【００１３】
請求項５記載の考案にあっては、パラフィン蝋をコーティングしたグラシン紙が一側面に貼設されると共に型成型により形成された互いに直交する２本の折り線部を有する紙製基材を、上記折り線部に沿って折り、上記直交する２本の折り線部により包囲画成される中央部位により底面部を形成し、上記底面部を介して互いに対向する隣接部位を上記中央部の各片部において立ち上げて上記中央部を包囲する側面部を形成し、上記底面部の各辺部に隣接しない四隅部を対角線方向に沿って折曲し、形成された側面部の外方から側面部に固定することにより形成されることを特徴とする。
【００１４】
従って、請求項５記載の考案にあっては、紙製基材に設けられた直交する２本の折り線部に沿って折ることにより、底面部及び側面部を形成して合成樹脂製溶融物の収納容器を作成する。
【考案の効果】
【００１５】
請求項１〜５記載の考案にあっては、内側面部にはパラフィン蝋をコーティングしたグラシン紙が貼設された紙製基材を用いて、内部に合成樹脂製溶融物を収納することができる収納容器を作成することができることから、製作コストを嵩ませることなく、高温処理された合成樹脂の溶融物を収納して搬送できる合成樹脂溶融物の収納容器を提供することができる。
【００１６】
請求項２記載の考案にあっては、請求項１記載の考案の効果に加えて、正方形状の紙製基材を折り畳んだ後、上記一対の固定片部により折り畳んで形成された側面部を固定することができることから、折り畳んで形成された側面部を容易に固定でき、容易に作成することができる合成樹脂溶融物の収納容器を提供することができる。
【００１７】
請求項４記載の考案にあっては、請求項１記載の考案の効果に加えて、ボール紙により形成することができることから、より製作コストを低減することができる合成樹脂溶融物の収納容器を提供することができる。
【図面の簡単な説明】
【００１８】
【図１】本願考案に係る合成樹脂溶融物の収納容器の一実施の形態を示す斜視図である。
【図２】本願考案に係る合成樹脂溶融物の収納容器の一実施の形態を示し、全体立方体の収納容器を作成するグラシン紙が貼付された紙製基材を展開した状態を示す平面図である。
【図３】本願考案に係る合成樹脂溶融物の収納容器の製造工程を示すブロック図である。
【図４】本願考案に係る合成樹脂溶融物の収納容器の一実施の形態を示し、全体立方体の収納容器を作成するための紙製基材を展開した状態を示す平面図である。
【図５】本願考案に係る合成樹脂溶融物の収納容器の一実施の形態を示し、全体立方体の収納容器を形成するために、グラシン紙が貼付された紙製基材を折り上げつつある状態を示す斜視図である。
【図６】本願考案に係る合成樹脂溶融物の収納容器の他の実施の形態を示し、全体長方形状に形成された収納容器を作成するためのグラシン紙が貼付された紙製基材を展開した状態を示す平面図である。
【図７】本願考案に係る合成樹脂溶融物の収納容器の他の実施の形態を示し、長方形状の収納容器を薄型の箱状運搬用箱に収納された状態を示す平面図である。
【考案を実施するための最良の形態】
【００１９】
以下、添付図面に示す実施の形態に基づき、本考案を詳細に説明する。
図１及び図２に示すように、本実施の形態に係る合成樹脂溶融物の収納容器１０は、上面が開放された立方体形状に形成され、パラフィン蝋をコーティングしたグラシン紙１１が一側面に貼られると共に型成型により形成された折り線部１２が設けられた全体略正方形状の紙製基材１３を、上記グラシン紙１１を内側面側にして、上記折り線部１２に沿って折り畳んで底面部１４及び上記底面部１４から立設された側面部１５を形成することにより作成されている。
【００２０】
本実施の形態にあっては、上記紙製基材１３は全体略正方形状であって互いに対向する一対の片部１６、１７には、折り畳んだ三角部３６、３６を固定する固定片部１８、１９が形成されている。
【００２１】
本実施の形態にあっては、上記紙製基材１３の素材はボール紙である。従って、本実施の形態にあっては、ボール紙により紙製基材１３が形成されると共に、表面側にはパラフィン蝋をコーティングしたグラシン紙１１が貼付固定されていることから、全体として所定の剛性を有し、図1に示すように、立方体形状に折り上げられた場合には、合成樹脂溶融物の収納容器１０は、自立するように構成されている。
【００２２】
上記グラシン紙１１は、亜硫酸パルプを原料とし、スーパーカレンダーという高圧のローラーを使用して加工されるものであり、この過程で、パルプの繊維は圧縮化されるとと共に平滑化され、繊維間の隙間が無くなり非常に密な繊維となる。その結果、耐油性、耐水性に富む性質であり、本件のような合成樹脂溶融物の収納容器に使用することができる。
【００２３】
その結果、本実施の形態に係る合成樹脂溶融物の収納容器１０にあっては、内部に、例えば、自動車の車室内に使用される内装材を接着固定するための合成樹脂製の接着剤であった、２００℃程度の高温で処理された溶融物を収納して搬送することができる。
【００２４】
本実施の形態に係る合成樹脂溶融物の収納容器１０は、以下のような手順で作製される。
即ち、図３に示すように、パラフィン蝋をコーティングしたグラシン紙を裁断して紙製基材１３に適合する形状に形成するグラシン紙裁断工程Ａと、上記グラシン紙裁断工程Ａの後、上記グラシン紙１１を上記紙製基材１３へ貼り付け固定するグラシン紙貼付工程Ｂと、上記グラシン紙貼付工程Ｂの後、上記紙製基材１３上に型成型により折り線部１２を形成する折り線部型成型工程Ｃと、上記折り線部型成型工程Ｃの後、上記折り線部１２に沿って折曲形成することにより底面部１４及び底面部１４の各片部から立ち上がる側面部１５を形成する折り畳み工程Ｄと、上記折り畳み工程Ｄの後、上記立ち上がった側面部１５を固定する側面部固定工程Ｅを経過することにより作製される。
【００２５】
グラシン紙裁断工程Ａにおいては、長尺に形成されたグラシン紙１１を、作成しようとする収納容器の大きさにより、紙製基材１３に適合するように紙製基材１３のサイズに合わせて適宜の裁断機により裁断する。
【００２６】
本実施の形態にあっては、図４に示すように、貼付させる紙製基材１３は全体略正方形状に形成され、全体略正方形状に形成されており、互いに対向する一対の片部１６、１７には、折り畳んだ三角部３６，３６を固定することとなる固定片部１８、１９を形成する凸部３７、３８が形成されている。
【００２７】
そして、次に、グラシン紙貼付工程Ｂにおいて、上記グラシン紙１１を紙製基材１３の一側面部に、適宜の接着剤を用いて貼りつける。
その後、折り線部型成型工程Ｃにおいて、上記グラシン紙１１が貼り付けられた紙製基材１３を適宜の型を用いて成型機によりプレスすることにより、グラシン紙１１が貼付された紙製基材１３上に折り線部１２を形成する。
【００２８】
この折り線部１２は、グラシン紙１１側に突出する凸条が形成されるように型成型される。本実施の形態にあっては、図２に示すように、紙製基材１３の幅方向の長さ寸法の１／３の幅寸法において等間隔に、縦横方向に沿って縦折り線部１２ａ及び横折り線部１２ｂが設けられている。
【００２９】
また、正方形の中央部２０の各辺部２１、２１、２１、２１に隣接する隣接片部３９、３９、３９、３９以外の四隅辺部４３、４３、４３、４３には、紙製基材１３の対角線方向に沿って、折り線部１２ｃが、夫々、形成されている。
【００３０】
そして、その後、折り畳み工程Ｄ及び側面部固定工程Ｅにおいて、紙製基材１３を上記折り線部１２に沿って折り畳み、かつ固定することにより本実施の形態に係る合成樹脂溶融物の収納容器１０が作製されるものである。
【００３１】
即ち、本実施の形態にあっては、図５に示すように、グラシン紙１１が一側面に貼設されると共に型成型により形成された互いに直交する２本の折り線部１２ａ、１２ｂを有する紙製基材１３を、上記縦折り線部１２ａ及び横折り線部１２ｂに沿って折り、２本の折り線部１２ａ、１２ｂにより包囲画成される正方形の中央部２０を残して、上記中央部２０の各片部２１、２１、２１、２１に隣接する隣接片部３９、３９、３９、３９を上記中央部２０に対して略直角に上方へ折り上げることにより、各側面部１５，１５、１５を作成する。この各側面部１５、１５、１５、１５の形成により、上記中央部２０による底面部１４が形成される。
【００３２】
次に、上記中央部２０の各辺部２１、２１、２１、２１に隣接しない各四隅片部４３、４３、４３，４３を外方へ突出するように２つ折りにし、図１に示すように、この２つ折りにより形成された三角部３６、３６、３６、３６を、立ちあがって形成された一対の対向する側面部２５、２７の外側面部に、夫々、互いに重ねて折り畳む。
【００３３】
その後、上記固定片部１８、１９を外方へ折り曲げ、固定片部１８、１９の裏面部に適宜の接着剤を塗布して、上記三角部３６，３６を固定する。これにより上方が開放された立方体の合成樹脂溶融物の収納容器１０が作成される。
【００３４】
なお、本実施の形態においては、立方体に形成された合成樹脂溶融物の収納容器１０が立方体に形成された場合を例に説明したが、上記実施の形態に限定されず、図６に示すように、紙製基材４０及びグラシン紙４１が長方形に裁断され、折り上げられた場合に直方体に形成されていてもよい。
【００３５】
図６中、上記第一の実施の形態に係る合成樹脂熔融物の収納容器１０と同一部材要素に関しては同一符号を付して説明を省略する。
このように形成された合成樹脂溶融物の収納容器４２は、例えば、図７に示すように、上方が開放された薄型長方形状の運搬用箱４４に収納され、夫々の収納容器４２内に合成樹脂溶融物を収納して運搬されるものである。
【符号の説明】
【００３６】
１０  収納容器
１１  グラシン紙
１２  折り線部
１３  紙製基材
１４  底面部
１５  側面部
１６  片部
１７  片部
１８  固定片部
１９  固定片部
２０  中央部
２０ａ  底面部
２１  各辺部
２５  側面部
２７  側面部
３３  折り線部
３４  対向線
３５  対向線
３６  三角部
３７  凸部
３８  凸部
３９  隣接片部
４０  紙製基材
４１  グラシン紙
４２  合成樹脂溶融物の収納容器
４３  四隅片部
４４  運搬用箱
【図１】
0003167336.tif 000003
【図２】
0003167336.tif 000004
【図３】
0003167336.tif 000005
【図４】
0003167336.tif 000006
【図５】
0003167336.tif 000007
【図６】
0003167336.tif 000008
【図７】
0003167336.tif 000009